(57)【要約】【課題】一括ダビング処理中にダビング処理の処理対象を変更することの可能な電子機器およびダビング方法を提供することを課題とする。【解決手段】デジタルテレビ１において一括ダビング処理を行うとき、ダビングリスト編集部３１がユーザからの指示に基づいて一括ダビングを行う映像コンテンツが登録されたダビングリスト３３を作成する。ダビング処理部３２はダビングリスト３３に登録された映像コンテンツをダビング順に沿って順次ダビングしていく。一括ダビング処理の実行中に一括ダビングを行う映像コンテンツの削除／追加の指示を受信すると、ダビングリスト編集部３１はダビング処理の実行が終わった項目、又はダビング処理中の項目を除いて、ダビングリスト３３の編集を行う。ダビング処理部３２はその後、編集後のダビングリスト３３に沿ってダビング処理を行うため、一括ダビング処理中にダビングの処理対象を変更することが可能となる。【選択図】図３
2011060390.tif 000002
【特許請求の範囲】
【請求項１】
ダビング対象の複数の映像コンテンツが登録されるダビングリストを作成するダビングリ
スト作成手段と、
前記ダビングリストに登録された前記複数の映像コンテンツを順次ダビングするダビング手段と、
前記ダビング手段によるダビング処理の実行中に、前記ダビングリストの中のダビングが始まる前の映像コンテンツの登録情報を編集するダビングリスト編集手段と
を有することを特徴とする電子機器。
【請求項２】
前記ダビング手段は、前記ダビングリストに登録された前記複数の映像コンテンツを、録
画が行われた日時の古い映像コンテンツより順にダビングすること
を特徴とする請求項１記載の電子機器。
【請求項３】
前記ダビングリスト編集手段は前記ダビング処理の実行中に前記ダビングリストに映像コ
ンテンツを追加すること
を特徴とする請求項１記載の電子機器。
【請求項４】
前記ダビング手段は、前記ダビングリストに登録された前記複数の映像コンテンツを録画
が行われた日時の古い映像コンテンツより順にダビングし、
前記ダビングリスト編集手段によって前記ダビング処理の実行中に前記ダビングリストに前記映像コンテンツが追加されるとき、現在ダビング処理している映像コンテンツに続き、前記ダビングリスト中の該ダビング処理が未だ開始されていない映像コンテンツを、録画された日時の古い映像コンテンツより順にダビングすること
を特徴とする請求項３記載の電子機器。
【請求項５】
前記ダビングリスト編集手段は前記ダビング処理の実行中に前記ダビングリストに登録さ
れている映像コンテンツを削除すること
を特徴とする請求項１記載の電子機器。
【請求項６】
前記ダビングリスト編集手段は、前記ダビングリスト中の前記ダビング手段によるダビン
グ処理が行われていない項目について編集処理を行うこと
を特徴とする請求項１記載の電子機器。
【請求項７】
前記ダビング手段は一度に順次ダビング可能な映像コンテンツ数である上限数が設定され
ており、前記上限数より多くの映像コンテンツの前記ダビングリストへの登録の指示を受
けるとき、映像コンテンツの前記ダビングリストへの登録が不可能である旨の表示がユー
ザに表示されるエラー表示を作成すること
を特徴とする請求項１記載の電子機器。
【請求項８】
ダビング対象の複数の映像コンテンツが登録されるダビングリストを作成し、
前記ダビングリストに登録された前記複数の映像コンテンツを順次ダビングし、
前記ダビング処理の実行中に、前記ダビングリストの中のダビングが始まる前の映像コンテンツの登録情報を編集する
ことを特徴とするダビング方法。 
【発明の詳細な説明】
【技術分野】
【０００１】
本発明は電子機器およびダビング方法に関するものであって、特に複数のコンテンツを一
括してダビングの可能な電子機器において、一括ダビングが始まってからのダビング対象
を変更できる電子機器およびダビング方法に関する。
【背景技術】
【０００２】
近年、映像録画技術の発達により映像コンテンツの種類が多様化すると共に容量も増加傾
向にあり、これに伴い様々な録画方法及びダビング方法が提案されるようになってきてい
る。  
【０００３】
従来は、ある記憶装置から他の記憶装置へ映像コンテンツをダビングしようとした場合、
それぞれ一つずつしかダビングすることが出来ず、映像コンテンツを複数ダビングしたい
ときには、ユーザが一つ一つダビングしていく必要があった。しかし、近年では複数の映
像コンテンツを一括してダビングすることが可能な電子機器が提案されている（特許文献
１を参照）。
【先行技術文献】
【特許文献】
【０００４】
【特許文献１】特開２００８−２７５６０号公報
【発明の概要】
【発明が解決しようとする課題】
【０００５】
上記提案において、複数の映像コンテンツを一括してダビングしようとするとき、ダビン
グ開始前に一度仮ダビングリストを作成し、電子機器はその仮ダビングリストに沿ってダ
ビングを行う。一旦ダビングを開始してしまうとリストの作成に漏れや不要な項目が入っ
ている等の不具合があった場合、ダビングリストにある全てのダビングを終えるまでダビ
ング対象を変更することができなかった。  
【０００６】
本発明は上記問題に鑑みてなされたものであって、一括ダビング処理中にダビング処理対
象を変更することの可能な電子機器およびダビング方法を提供することを目的とする。
【課題を解決するための手段】
【０００７】
本実施形態における電子機器は、ダビング対象の複数の映像コンテンツが登録されるダビ
ングリストを作成するダビングリスト作成手段と、前記ダビングリストに登録された前記
複数の映像コンテンツを順次ダビングするダビング手段と、前記ダビング手段によるダビ
ング処理の実行中に、前記ダビングリストの中のダビングが始まる前の映像コンテンツの
登録情報を編集するダビングリスト編集手段とを有することを特徴としている。  
【０００８】
本実施形態におけるダビング方法は、ダビング対象の複数の映像コンテンツが登録される
ダビングリストを作成し、前記ダビングリストに登録された前記複数の映像コンテンツを
順次ダビングし、前記ダビング処理の実行中に、前記ダビングリストの中のダビングが始
まる前の映像コンテンツの登録情報を編集することを特徴としている。
【発明の効果】
【０００９】
本発明によれば、一括ダビング処理の実行中にダビングを行うリストであるダビングリス
トの編集を行うことで、処理中の一括ダビングの処理対象の変更を行なうことが可能な電
子機器およびダビング方法を実現することができる。
【図面の簡単な説明】
【００１０】
【図１】本発明の一実施形態における電子機器としてのデジタルテレビおよびHDDレコーダ、DVDレコーダの外観の一例を示す概略斜視図。
【図２】本発明の一実施形態におけるデジタルテレビ等の構成の一例を示すブロック図。
【図３】本発明の一実施形態におけるデジタルテレビの機能ブロック図の一例を示す図。
【図４】本発明の一実施形態におけるダビング処理中の表示部の表示の一例を示す図。
【図５】本発明の一実施形態におけるダビングリストの一例を示す図。
【図６】本発明の一実施形態におけるダビング追加不可能表示の一例を示す図。
【図７】本発明の一実施形態におけるデジタルテレビの処理フローの一例を示すフロー図。
【発明を実施するための形態】
【００１１】
本発明の一実施形態を図面を参照して説明する。  
【００１２】
図１は本実施形態における電子機器としてのデジタルテレビ１およびHDDレコーダ２、DVD
レコーダ３の外観の一例を示す概略斜視図である。なお、本実施の形態では、本発明にお
ける電子機器をデジタルテレビに搭載した場合について説明するが、これに限定されず、
放送受信装置、放送受信機能付き携帯電話、及び放送受信装置が搭載された映像記録装置
等に使用することが可能であり、また、ネットワークを通じて放送局から配信される番組
を受信することができる放送受信装置、及びPC（Personal Computer）等にも使用するこ
とが可能であり、これらに限定されない。  
【００１３】
このデジタルテレビ１は、一例として、後述するチューナ、オーディオアンプ、及び信号
処理部等の電子装置を格納する本体１０と、LCD（Liquid Crystal Display）からなる表
示部１２０と、音声を出力するスピーカ１１０とを有する。デジタルテレビ１は、図示し
ないプラグを介して外部から電力を取得し、後述するアンテナを介して地上波デジタル放
送波を受信して、受信した地上波デジタル放送波の信号を信号処理部でデコードすること
により映像信号、及び音声信号を出力する。表示部１２０は、デコードされた映像信号を
処理して映像を表示する。スピーカ１１０は、デコードされた音声信号を処理して音声を
出力する。  
【００１４】
HDDレコーダ２は、大容量磁気記憶媒体であるHDD（Hard Disk Drive）を有しており、HDD
によってデジタルテレビ１より受信する映像コンテンツの記憶を行うことのできるレコー
ダである。HDDレコーダ２はLAN（Local Area Network）ケーブルによってデジタルテレビ
１と電気通信可能に接続されており、電気信号によって様々な情報のやり取りを行うこと
ができる。またHDDレコーダ２は映像信号、及び音声信号等の信号をデジタルテレビ１に
対して送信し、デジタルテレビ１によってユーザに対して映像及び音声として出力するこ
とが可能である。  
【００１５】
DVDレコーダ３は、光記憶媒体であるDVD（Digital Versatile Disc）を映像コンテンツの
出し入れ可能であって、DVDに対してデジタルテレビ１より受信する映像コンテンツを格
納することのできるレコーダである。DVDレコーダ３はLAN（Local Area Network）ケーブ
ルによってデジタルテレビ１と電気通信可能に接続されており、電気信号によって様々な
情報のやり取りを行うことができる。またDVDレコーダ２は映像信号、及び音声信号等の
信号をデジタルテレビ１に対して送信し、デジタルテレビ１によってユーザに対して映像
及び音声として出力することが可能である。  
【００１６】
本実施形態においてユーザはデジタルテレビ１を操作することによって、HDDレコーダ２
及びDVDレコーダ３に格納される映像コンテンツをそれぞれコピー（ダビング）すること
が可能である。例えばHDDレコーダ２に格納されている映像コンテンツをDVDレコーダ３に
挿入されているDVDに対してダビング（コピー）することが可能である。また、デジタル
テレビ１内の記憶媒体に格納されている映像コンテンツをこれらのレコーダにダビングす
ることも可能であり、これらのレコーダに格納されている映像コンテンツをデジタルテレ
ビ１内の記憶媒体に対してダビングすることも可能である。  
【００１７】
図２は本実施形態におけるデジタルテレビ１等の構成の一例を示すブロック図である。  
【００１８】
このデジタルテレビ１は、装置各部の動作を制御する制御部１５６を備えている。制御部
１５６は、CPU（Central Processing Unit）等を内蔵している。制御部１５６は、操作部
１１６から入力される操作信号や、リモートコントローラ１１７から送信され受光部１１
８を介して受信される操作信号に応じて、ROM（Read Only Memory）１５７に予め記憶さ
れたシステム制御プログラム及び各種処理プログラムを起動させる。制御部１５６は、起
動したプログラムに従って、RAM（Random Access Memory）１５８をワークメモリとして
装置各部の動作を制御する。各部の動作制御に必要な各種の設定情報及び制御情報等は、
一例として、不揮発性メモリ１５９に格納される。  
【００１９】
また、デジタルテレビ１は、一例として、放送形式として地上波アナログ放送、地上波デ
ジタル放送、BSデジタル放送及びCSデジタル放送等を受信することができるように構成さ
れ、さらに、これらから供給される番組を録画したり、録画した番組に関する種々の情報
である番組関連情報を記憶したりすることができるHDD１７０を備えている。  
【００２０】
BS／CSデジタル放送受信用のアンテナ１４３は、衛星デジタルテレビジョン放送信号を受
信する。受信されたデジタル放送信号は、入力端子１４４を介して衛星デジタル放送用の
チューナ１４５に供給される。チューナ１４５は、受信したデジタル放送信号のチューニ
ングを行い、チューニングしたデジタル放送信号をPSK（Phase Shift Keying）復調器１
４６に送信する。PSK復調器１４６は、TS（Transport Stream）の復調を行い、復調したT
SをTS復号器１４７aに供給し、TS復号器１４７aは、TSをデジタル映像信号及び音声信号
等に復号した後、信号処理部１００にこれを出力する。  
【００２１】
地上波デジタル放送受信用のアンテナ１４８は、地上波デジタルテレビジョン放送信号を
受信する。受信されたデジタル放送信号は、入力端子１４９を介して地上波デジタル放送
用のチューナ１５０に供給される。本実施形態において地上はデジタル放送用のチューナ
１５０は１０個のチューナを備える（図２においてはそれらを纏めて１つのものとして描
写している）。チューナ１５０は、受信したデジタル放送信号のチューニングを行い、チ
ューニングしたデジタル放送信号をそれぞれのOFDM（Orthogonal Frequency Division Mu
ltiplexing）復調器１５１に送信する。OFDM復調器１５１は、TSの復調を行い、復調した
TSをそれぞれのTS復号器１４７bに供給し、TS復号器１４７bは、TSをデジタル映像信号及
び音声信号等に復号した後、信号処理部１００にこれを出力する。なおOFDM復調器１５１
とTS復号器１４７ｂはそれぞれ、チューナ１５０の１１個のチューナと同数個である１１
個存在し、それぞれ１つずつチューナ１５０の１１個のチューナに割り当てられている。
チューナ１５０の１１個それぞれのチューナで取得した地上波デジタルテレビジョン放送
は、これらの複数個のOFDM復調器１５１、TS復号器１４７bによってそれぞれ同時に映像
信号及び音声信号として復号された後に信号処理部１００に出力されることが可能である
。  
【００２２】
アンテナ１４８は、地上波アナログ放送信号も受信可能である。受信された地上波アナロ
グ放送信号は、図示しない分配器によって分配されて、アナログチューナ１６８に供給さ
れる。アナログチューナ１６８は、受信したアナログ放送信号のチューニングを行い、チ
ューニングしたアナログ放送信号をアナログ復調器１６９に送信する。アナログ復調器１
６９はアナログ放送信号の復調を行い、復調したアナログ放送信号を信号処理部１００に
出力する。また、デジタルテレビ１は、一例として、アンテナ１４８が接続される入力端
子１４９にCATV（Common Antenna TeleVision）用のチューナを接続することによってCAT
Vも視聴することができる。  
【００２３】
信号処理部１００は、TS復号器１４７a、１４７ｂから出力されたデジタル放送信号に、
適切なデジタル信号処理を施す。デジタル放送信号は、データ信号、映像信号及び音声信
号に分離される。分離された映像信号はグラフィック処理部１５２に、音声信号は音声処理部１５３に出力される。信号処理部１００は、アナログ復調器１６９から出力された放送信号を、所定のデジタルフォーマットの映像信号及び音声信号に変換する。デジタルに変換された映像信号はグラフィック処理部１５２に、音声信号は音声処理部１５３に出力される。また信号処理部１００は、ライン入力端子１３７からの入力信号にも所定のデジタル信号処理を施す。  
【００２４】
OSD（On Screen Display）信号生成部１５４は、制御部１５６の制御に従って、UI（ユー
ザ・インタフェース）画面などを表示するためのOSD信号を生成する。また信号処理部１
００においてデジタル放送信号から分離されたデータ信号は、OSD信号生成部１５４によ
り適切なフォーマットのOSD信号に変換され、グラフィック処理部１５２に出力される。
また、OSD信号生成部１５４は、後述するダビング処理部によって作成される、ダビング
に関する情報の表示であるダビング情報表示およびダビング追加不可能表示を表示させる
ためのダビング情報表示およびダビング追加不可能表示に関する信号を受信し、UI画面や
現在視聴中の画面等とこれを合成してグラフィック処理部１５２に出力する機能を有して
いる。  
【００２５】
グラフィック処理部１５２は、信号処理部１００から出力されるデジタルの映像信号のデ
コード処理を行う。デコードされた映像信号は、OSD信号生成部１５４から出力されたOSD
信号と重ね合わせて合成され、映像処理部１５５に出力される。グラフィック処理部１５
２は、デコードされた映像信号またはOSD信号を、映像処理部１５５に選択的に出力する
こともできる。  
【００２６】
映像処理部１５５は、グラフィック処理部１５２から出力された信号を、表示部１２０で
表示可能なフォーマットのアナログ映像信号に変換する。アナログに変換された映像信号
は、表示部１２０に出力され、表示画面１２１に表示される。また、映像処理部１５５は
、外部出力端子１３５に接続されたHDDレコーダ等の外部装置に映像信号を出力すること
ができる。  
【００２７】
音声処理部１５３は、入力された音声信号を、スピーカ１１０で再生可能なフォーマット
のアナログ音声信号に変換する。アナログに変換された音声信号は、スピーカ１１０に出
力されて再生される。また、音声処理部１５３は、外部出力端子１３６に接続されたアン
プ等の外部装置に音声信号を出力することができる。  
【００２８】
カードホルダ１６１は、カードI/F（Interface）１６０を介して制御部１５６に接続され
ている。第１のメモリーカード１１９Ａは、このカードI/F１６０に装着可能である。第
１のメモリーカード１１９Ａは、例えばSD（Secure Digital）メモリーカード、MMC（Mul
timedia Card）及びCF（Compact Flash）カード等の記憶媒体である。カードホルダ１６
１に装着された第１のメモリーカード１１９A、及び制御部１５６は、カードI/F１６０を
介して情報の伝達を行うことができる。制御部１５６は、第１のメモリーカード１１９A
に、画像や音楽、放送番組等のデータを格納することができる。また制御部１５６は、第
１のメモリーカード１１９Aに格納された画像や音楽、放送番組等のデータを読み出して
、表示部１２０に表示させたり、スピーカ１１０から音声出力させたりすることができる
。  
【００２９】
カードホルダ１６３は、カードI/F１６２を介して制御部１５６に接続されている。第２
のメモリーカード１１９Bは、このカードI/F１６２に装着可能である。第２のメモリーカ
ード１１９Bは、例えば放送受信契約の契約情報等を記憶する記憶媒体である。カードホ
ルダ１６３に装着された第２のメモリーカード１１９B、及び制御部１５６は、カードI/F
１６０を介して情報の伝達を行うことができる。  
【００３０】
第１のLAN（Local Area Network）端子１３１は、通信I/F１６４を介して制御部１５６に
接続されている。第１のLAN端子１３１は、イーサネット（登録商標）を用いたLAN対応HD
D専用ポートとして使用される。第１のLAN端子１３１にLAN対応のHDDがNAS（Network Att
ached Storage）として接続された場合、当該HDD及び制御部１５６は、通信I/F１６４を
介して、情報の伝達を行うことができる。この場合、制御部１５６は、DHCP（Dynamic Ho
st Configuration Protocol）サーバとして機能し、第１のLAN端子１３１に接続された当
該LAN対応のHDDにIP（Internet Protocol）アドレスを割り当てて制御している。  
【００３１】
制御部１５６は、当該HDDに画像や音楽、放送番組等のデータを格納することできる。ま
た制御部１５６は、当該HDDに格納された画像や音楽、放送番組等のデータを読み出して
、表示部１２０に表示させたり、スピーカ１１０から音声出力させたりすることができる
。LAN対応ＨＤＤ専用ポートとしての第１のLAN端子１３１を設けることにより、他のネッ
トワーク環境やネットワーク使用状況等に影響されることなく、当該HDDに対してハイビ
ジョン画質による番組の情報記録を安定して行うことが可能となる。制御部１５６は例え
ばHDD１７０のような記憶媒体から録画された番組の再生を行い、表示部１２０からの表
示や、スピーカ１１０からの音声出力が可能である。また制御部１５６は内蔵するダビン
グ処理部によってある記憶媒体から他の記憶媒体へと映像コンテンツをコピーするダビン
グ機能を有している。また制御部１５６は図３で後述する構成を有している。  
【００３２】
第２のLAN端子１３２は、通信I/F１６５を介して制御部１５６に接続されている。第２の
LAN端子１３２は、イーサネット（登録商標）を用いた一般的なLAN対応ポートとして使用
される。この第２のLAN端子１３２には、例えばハブを用いて、LAN対応のHDD、PC（Perso
nal Computer）、HDD内蔵のDVDレコーダ等の機器が接続される。第２のLAN端子１３２に
接続された機器及び制御部１５６は、通信I/F１６５を介して情報の伝達を行うことがで
きる。第２のLAN端子１３２にハブを介してブロードバンドルータが接続されている場合
、制御部１５６は、当該ブロードバンドルータを介して例えばインターネット等のネット
ワークに接続することができる。このネットワークにはPCや携帯電話等が接続され、デジ
タルテレビ１との間で情報の伝達を行うことができる。  
【００３３】
通信I/F１６５を介して制御部１５６に接続されるHDD、PC、DVDレコーダ等の機器には、
ハードディスクやDVD（光ディスク）等の記憶媒体を装着することが可能である。制御部
１５６は、当該記憶媒体に、ハブ及び当該ハブに接続される機器を介して画像や音楽、放
送番組等のデータを格納することができる。また制御部１５６は、当該記憶媒体に格納さ
れた画像や音楽、放送番組等のデータを読み出して、表示部１２０に表示させたり、スピ
ーカ１１０から音声出力させたりすることができる。  
【００３４】
USB（Universal Serial Bus）端子１３３は、USB I/F１６６を介して制御部１５６に接続
されている。USB端子１３３は、一般的なUSB対応ポートとして使用される。USB端子１３
３には、例えばハブを介して、携帯電話、デジタルカメラ、各種メモリーカードに対する
カードリーダ／ライタ、HDD、キーボード等が接続される。制御部１５６は、USB端子１３
３を介して接続される機器との間で、情報の伝達を行うことができる。  
【００３５】
本実施形態において、第1のLAN端子１３１にHDDレコーダ１１、第２のLAN端子１３２にDV
Dレコーダ１２が接続されている。  
【００３６】
図３は本実施形態におけるデジタルテレビ１の機能ブロック図の一例を示す図である。図
３にはデジタルテレビ１、制御部１５６、ダビングリスト編集部３１、ダイビング処理部
３２、ダビングリスト３３、RAM１５８、HDDレコーダ２、DVDレコーダ３、第1のLAN端子
１３１、第２のLAN端子１３２、通信I/F１６４、通信I/F１６５、OSD信号生成部１５４、
グラフィック処理部１５２、映像処理部１５５、表示部１２０、およびHDD１７０が示さ
れている。  
【００３７】
上述したようにデジタルテレビ１は制御部１５６によって、ある記憶媒体に格納されてい
る映像コンテンツを他の記憶媒体へとダビングすることができる。本実施形態では、HDD
レコーダ２およびHDD１７０に格納されている複数の映像コンテンツをDVDレコーダ３にダ
ビングする場合を例に挙げて説明する。  
【００３８】
ダビングリスト編集部３１は制御部１５６の構成の一部であり、映像コンテンツのダビン
グの順番を示すリストであるダビングリスト３３を作成、編集する機能を有している。ダ
ビングリスト３３はRAM１５８に格納されており、ダビングリスト編集部３１はRAM１５８
にアクセスして、ダビングリスト３３の編集を行うことが可能である。  
【００３９】
ダビング処理部３２は制御部１５６の構成の一部であり、ダビング元の記憶媒体からダビ
ング先の記憶媒体への映像コンテンツのダビング処理を制御する機能を有している。ダビ
ング処理部３２はダビング処理を行う際にRAM１５８に格納されているダビングリスト３
３を参照し、ダビングリスト３３に示されるダビングの順に則ってダビング処理を行う。
このときダビング処理部３２はダビングリスト３３の先頭の欄（項目）よりダビング処理
を開始し、一つの映像コンテンツのダビングが終了すると、ダビングリスト３３の次の映
像コンテンツのダビング処理を行い、ダビングリスト３３に載っている映像コンテンツの
項目の全てのダビングが終了するまでダビングリスト３３の先頭より順にダイビング処理
を続ける。また本実施形態においてダビング処理部３２はダビングリスト３３を参照して
ダビング処理に関する情報の表示であるダビング情報表示に関する信号を作成し、この信
号をOSD信号生成部１５４に対して送信する。OSD信号生成部１５４は受信したダビング情
報表示に関する信号に基づいてOSD信号を生成し、グラフィック処理部１５２に該OSD信号
を出力する。OSD信号を受信したグラフィック処理部１５２はダビング情報表示のOSD信号
と現在表示している映像とを重ね合わせて合成し、映像処理部１５５に対して合成した信
号を出力する。映像処理部１５５は入力を受けた信号に基づいて表示部１２０にダビング
情報表示を表示させる。  
【００４０】
ダビングリスト３３はダビング処理に関するダビング順、映像コンテンツタイトル、録画
日時、ダビング元モジュール、及びダビング先モジュール等の情報が示されるリストであ
る。  
【００４１】
本実施形態においてはHDD１７０、HDDレコーダ２、及びDVDレコーダ３に格納されている
映像コンテンツをダビングする場合を例に挙げて説明を行なう。しかしデジタルテレビ１
内部の内部記憶媒体、及び外部に接続されている外部記憶媒体にかかるダビング処理であ
るならば、ダビング先及びダビング元の記憶媒体はこれらに限定されない。  
【００４２】
また本実施形態において、HDDレコーダ２、DVDレコーダ３のようなデジタルテレビ１の外
部記憶装置とデジタルテレビ１との通信接続にはLANを用いた接続を例示して説明してい
るがこれに限定されず、例えばUSB、HDMI（High-Definition Multimedia Interface）等
のような他の通信インターフェースを用いて接続されていてもよい。  
【００４３】
図４は本実施形態におけるダビング処理中の表示部１２０の表示の一例を示す図である。
図４には表示部１２０、表示映像４１、ダビング情報表示４２、ダビング元表示４３、ダ
ビング先表示４４、ダビング数４５、経過情報バー４６、および経過情報表示４７が示さ
れている。  
【００４４】
表示映像４１は表示部１２０に表示されているユーザが視聴を行う映像であり、本実施形
態においては現在受信中の放送波の番組を表示しているものとする。  
【００４５】
ダビング情報表示４２はダビング処理に関する情報を示す表示である。本実施形態におい
てダビング情報表示４２にはダビング元表示４３、ダビング先表示４４、ダビング数４５
、経過情報バー４６、および経過情報表示４７が示されている。  
【００４６】
ダビング元表示４３はデジタルテレビ１が行なうダビング処理に関する、映像コンテンツ
のダビング元のモジュールの情報を示す表示である。ダビング元表示４３にはダビング元
のモジュールを示す名称とその簡易的なアイコンが表示されている。  
【００４７】
ダビング先表示４４はデジタルテレビ１
が行なうダビング処理に関する、映像コンテンツのダビング先のモジュールの情報を示す
表示である。ダビング先表示４４にはダビング元のモジュールを示す名称とその簡易的な
アイコンが表示されている。本実施形態においてはダビング先及びダビング元にモジュー
ルに関する表示を通信インターフェースによって表示しているが、ダビング元及びダビン
グ先の記憶媒体に関する各種情報（例えばユーザによって記憶媒体に割り当てられた名称
等）を表示するとしてもよい。このときダビング処理部３２はそれぞれに記憶装置より該
記憶装置に関する情報を取得して、ダビング元表示４３及びダビング先表示４４の表示に
関する信号を作成する。  
【００４８】
ダビング数４５はダビング処理を行う予定の映像コンテンツの数及び、現在ダビング中の
映像コンテンツのダビングリスト中の順番を示す表示である。  
【００４９】
経過情報バー４６は現在ダビング処理中の映像コンテンツのダビング処理がどこまで完了
したかの経過情報を示すバーである。現在ダビング処理中の映像コンテンツのダビング処
理の経過に従って斜線領域が右方向に増加していき、ダビング処理が終了するときは経過
情報バー４６全てが斜線領域となる。  
【００５０】
経過情報表示４７は現在ダビング処理中の映像コンテンツのダビング処理が何パーセント
完了しているかを示す表示である。  
【００５１】
図４に示すダビング情報表示４２では、ダビングリストに入力されておりダビングを行な
う予定の全１６項目の映像コンテンツのうち、１２番目の映像コンテンツのダビング処理
を現在行っており、１２番目の映像コンテンツのダビング処理が現在５０パーセント完了
している、という情報が示されている。また現在、１２番目の映像コンテンツのダビング
は、第１のLAN端子１３１に接続されている記憶媒体から、第２のLAN端子１３２に接続さ
れている記憶媒体へとダビング処理が行われているという情報が示されている。  
【００５２】
図４に示すダビング情報表示４２はあくまで例示であり、表示される情報や表示形式はこ
れに限定されることはない。例えばダビング情報表示４２が半透明な表示であってもよい
し、ダビング元及び先の端子の表示ではなく、「HDDレコーダ」、「DVDレコーダ」等の記
憶媒体の情報の表示を行なってもよい。また、ダビング処理を行っている映像コンテンツ
のタイトル等を表示してもよい。このようにダビング情報表示４２の表示形式及び表示さ
れる情報は設計によって適宜変更可能である。  
【００５３】
図５は本実施形態におけるダビングリスト３３の一例を示す図である。  
【００５４】
ダビングリスト３３にはダビング順、タイトル、録画日時、ダビング元、およびダビング
先の情報が示されている。例えばダビング順が３番目のダビング処理に関しては、映像コ
ンテンツのタイトルが「特番A」であり、この「特番A」は２００９年６月２４日水曜日の
１９：００に録画されたものである。また、この「特番A」のダビング処理はデジタルテ
レビ１に内蔵されているHDD１７０より、第２のLAN端子１３２に接続されている記憶媒体
（本実施形態においてはDVDレコーダ３）へとダビング処理を行うものであるという情報
がダビングリストに示されている。ダビングリスト３３に登録される情報として上述した
ものはあくまで一例であってこれに限定されない。  
【００５５】
ダビング処理部３２はこのダビングリスト３３の一番上の項目（ダビング順１）よりダビ
ング処理の実行を開始し、ダビング順（ここでは昇順）にダビング処理を順次行っていく
。  
【００５６】
このダビングリスト３３は前述のようにダビングリスト編集部３１によって作成される。
ユーザが複数の映像コンテンツの一括ダビング指示を行うとき、ダビングリスト編集部３
１はユーザからの指示に基づいてダビングリスト３３を作成し、RAM１５８へと格納する
。ダビングリスト３３を作成するとき、ダビングリスト編集部３１はダビングリスト３３
内の映像コンテンツを録画日時順に並べ替える。  
【００５７】
例えば、HDDレコーダのような記憶装置は備える記憶媒体の使用領域が所定値以上となる
と、新たな情報を格納するために記憶媒体内から録画日時の古い映像コンテンツから順次
削除していくように構成されている場合が存在する。ここで本実施形態のようにHDDレコ
ーダのような記憶装置から他の記憶装置へと映像コンテンツの一括ダビング処理をする場
合を考える。多くの場合、一括ダビング処理には時間がかかるため、ダビングリスト３３
には登録されているが未だダビングされていない録画日時の古い映像コンテンツが、一括
ダビングの処理中にダビング元の記憶装置中で削除されてしまう可能性が存在する。削除
された映像コンテンツはダビング前にダビング元の記憶装置より削除されるため、削除さ
れた映像コンテンツは完全になくなってしまい、ダビング処理も失敗する。よって、先に
削除されてしまう可能性のある録画日時の古い映像コンテンツの方がダビングの優先度が
高く、録画日時の古い映像コンテンツを先にダビングしておく方が、ダビングしたい映像
コンテンツが削除されてしまう可能性が低減される。本実施形態では削除されてしまう可
能性の高い、録画日時の古い映像コンテンツを先にダビングするように順番を並べ替えて
、ダビングリスト３３に映像コンテンツの登録することで、ダビングする映像コンテンツ
が削除される可能性およびダビング処理の失敗の可能性を低減することができる。  
【００５８】
従来の電子機器における一括ダビング処理では、あらかじめダビングリストを作成し、一
括ダビングを開始してしまうと、ダビングリストに載っている項目の全てのダビング処理
が完了するまでダビングリスト内の項目を削除等の編集は行えなかった。このため、ダビ
ングリストの作成にミスがあったことに気づいても、ユーザは一括ダビング処理を開始し
た後は全て終了するまで待機するしかなかった。また、ユーザは更にダビングしたい映像
コンテンツが見つかったときでも、一括ダビング処理が開始されるとダビングリストを編
集できないために全て完了するまで待たなければならず、そのうえで別途ダビング処理す
る必要があった。特に複数の映像コンテンツのダビング処理を行う一括ダビング処理は、
ダビングする量が多くなるため、全て完了するまでに時間が多くかかり、全てのダビング
が完了するまで待機することはユーザにとって面倒で苦痛なものであった。  
【００５９】
本実施形態におけるデジタルテレビ１は一括ダビング処理中においてもダビングリスト編
集部３１がダビングリスト３３の編集を行うことが可能である。このため、ユーザがミス
等によってダビングリスト３３に不要な項目を入れていたとしても、ダビングリスト編集
部３１はダビングリスト３３内の不要な項目を一括ダビング処理中にも削除することがで
きる。また、一括ダビングを行う映像コンテンツを追加したい場合にもデジタルテレビ１
はダビングリスト編集部３１によって、ダビングリスト３３にダビングする映像コンテン
ツの項目を追加することができる。一括ダビングを行う映像コンテンツを削除する場合に
は、ダビング前にダビングリスト３３より登録された映像コンテンツの削除を行い、ダビ
ング自体は実行しないこととなるのでこの映像コンテンツのダビング処理に費やす時間も
短縮することができる。  
【００６０】
ダビング処理部３２はダビングリスト３３の先頭よりダビング処理を開始し、ダビングリ
スト３３のダビングを開始する項目にダビング実行フラグを立てる。この様にダビング実
行フラグを立てると、ダビングが完了した項目及びダビングを実行中の項目にはダビング
実行フラグが立っているようになる。ダビングリスト編集部３１はダビングリスト３３中
のダビング実行フラグが立っている項目に関しては編集処理を行うことができない。  
【００６１】
一括ダビング実行中にダビングリスト３３の編集を行うとき、ユーザはダビングリスト３
３の表示指示を行う。ダビングリスト３３の表示指示を受けるとダビング処理部３１はダ
ビングリスト３３をユーザが選択可能なように表示面１２１に表示する。ユーザは項目の
削除を行いたいときには、ダビングリスト３３の削除したい項目を選択し、この項目の削
除操作をすると、ダビングリスト編集部３１はダビングリスト３３より項目の削除を行う
。ここで表示面１２１に表示されたダビングリストのうち、ダビング実行フラグの立って
いる項目に関しては、削除のための選択を行うことができないように表示されており、ユ
ーザは削除できない。  
【００６２】
また、ダビング処理をする映像コンテンツを追加したいときは、ユーザはダビングする映
像コンテンツの選択およびダビング先のモジュールの選択を行うと、ダビングリスト編集
部３１はダビング項目の追加を行う。このとき、ダビングリスト編集部３１は追加を行う
映像コンテンツを含めてダビング実行フラグが立っている項目以外を再編集し、録画日時
の古い順に並び替える。ダビングする映像コンテンツを追加した場合に、ダビングリスト
３３の最後に追加すると、追加された映像コンテンツはダビング実行中にダビング元の記
憶装置内で削除される可能性が高くなるため、上述のように並べ替えてダビングリスト３
３を構成することで追加される録画日時の古い映像コンテンツが削除される可能性を低減
することができる。  
【００６３】
図６は本実施形態におけるダビング追加不可能表示の一例を示す図である。図６には表示
部１２０、表示映像４１、ダビング情報表示４２、ダビング元表示４３、ダビング先表示
４４、ダビング数４５、経過情報バー４６、経過情報表示４７、およびダビング追加不可
能表示６１が示されている。  
【００６４】
デジタルテレビ１は一括ダビング可能な映像コンテンツ数の上限が設定されており、本実
施形態において一括ダビング可能な映像コンテンツ数の上限は１６コンテンツである。ダ
ビングリスト１６に登録されている映像コンテンツ数が１６コンテンツであるときに、ユ
ーザがダビングする映像コンテンツの追加を行おうとすると、ダビング処理部３２はダビ
ング追加不可能表示に関する信号を生成し、表示部１２１にダビング追加不可能表示６１
を表示させる。  
【００６５】
本実施形態においてダビング追加不可能表示６１には「予約ダビング数が上限のためこれ
以上追加できません」という表示されている。このようにダビング追加不可能表示６１に
はダビングリスト３３のダビング項目が上限であるときは、これ以上ダビング項目の追加
を不可能な旨のエラー表示を行なう。ダビング追加不可能表示６１の表示内容は本実施形
態の例示に限定されず、追加不可能な旨が表示されているのであれば、設計によって様々
なものが考えられる。  
【００６６】
またこのダビング追加不可能表示６１はダビングリスト３３に登録されている映像コンテ
ンツ数が上限となったときに表示されてもよいし、ユーザがダビングを行う映像コンテン
ツの追加を行おうとしたときに表示するとしてもよい。  
【００６７】
図７は本実施形態におけるデジタルテレビ１の処理フローの一例を示すフロー図である。
【００６８】
まず、デジタルテレビ１はユーザからのリモートコントローラ１１７等による一括ダビン
グを行うための指示を待機する（S７０１）。  
【００６９】
ユーザからの一括ダビング開始指示を受信しない間は（S７０１、No）、処理フローは再
びS７０１に戻る。S７０１において一括ダビングの開始指示を受信したときは（Yes）、
ダビングリスト編集部３１はユーザからの指示に応じてダビングリスト３３を作成する（
S７０２）。このときユーザからダビング指示が行われた映像コンテンツは、ダビングリ
スト作成部３２によって録画日時の古い順から並べられて、ダビングリスト３３の先頭よ
り登録される。  
【００７０】
ダビングリスト３３が完成し、ユーザがダビングリスト３３に沿ったダビングの開始操作
を行うと、ダビング処理部３２はダビングリスト３３に沿って、リストの先頭よりダビン
グ処理を開始（実行）する（S７０３）。このときダビング処理部３２はダビングリスト
３３中のダビングを開始する映像コンテンツの項目にダビング実行フラグを立てていく（
S７０４）。このように一括ダビングの実行中には、ダビング処理部３２
はダビング情報表示４２に関する信号を生成し、図４のように表示面１２１にダビング情
報表示４２を表示するとしてもよい。  
【００７１】
デジタルテレビ１は一括ダビング処理の実行中に、ダビングリスト３３の編集指示をユー
ザより（リモートコントローラ１１７より）受信したか否かを判別する（S７０５）。S７
０５においてダビングリスト３３の編集指示を受信するとき（Yes）、制御部１５６はこ
の指示がダビングリスト３３の項目の削除指示であるか否かの判別を行う（S７０６）。
【００７２】
S７０６において削除指示であると判別するとき（Yes）、ダビング処理部３２はダビング
リストにかかる表示であるダビングリスト表示を表示面１２１にユーザが削除したい映像
コンテンツを選択可能に表示する。このとき、ダビング処理部３２はダビング実行フラグ
が立っている映像コンテンツに関してはユーザが削除のための選択を行えないように表示
する。またこのときダビング処理部３２はダビング実行フラグが立っている映像コンテン
ツに関しては表示しないとしてもよい。ユーザが表示されたダビングリスト表示より削除
したい映像コンテンツを選択すると、ダビングリスト編集部３１は該映像コンテンツの項
目をダビングリスト３３より削除して、この項目以降にダビングリスト３３に登録されて
いる映像コンテンツのダビング順を、ダビングリスト３３より削除された映像コンテンツ
の個数（項目数）分繰り上げる（S７０７）。  
【００７３】
S７０６においてユーザからの指示が削除指示でないと判別するとき（No）、制御部１５
６はこの指示が一括ダビングを行う映像コンテンツの追加指示であると判別する。このと
き制御部１５６は現在ダビングリスト３３に登録されている映像コンテンツの数が上限数
であるか否かの判別を行う（S７０８）。  
【００７４】
S７０８においてダビングリスト３３に登録されている映像コンテンツ数が上限数でない
とき（No）、ユーザが追加指示を行った映像コンテンツを追加して、ダビングリスト３３
に登録されておりダビング実行フラグの立っていない映像コンテンツを録画日時の古い順
番から並べ替える（S７０９）。本実施形態において、ダビングリスト３３に登録された
映像コンテンツの順番を並べ替えるように、S７０２及びS７０９で例示しているがこれに
限定されるものではなく、ダビングリスト３３の順番を並べ替えなくても、ダビング処理
時にダビング処理部３２がまだダビングしていない映像コンテンツのうち最も録画日時の
古いものを判別し、この録画日時の古い映像コンテンツを次に録画するとしてもよい。こ
のように構成しても、ダビング処理部３２はダビングリスト３３に登録されている映像コ
ンテンツのうち録画日時の古いものから順にダビング処理を行うこととなる。  
【００７５】
S７０８においてダビングリスト３３に登録されている映像コンテンツ数が上限数であっ
たとき（Yes）、ダビング処理部３２はダビング追加不可能表示６１に関する信号を生成
し、表示部１２１にダビング追加不可能表示６１を表示する（S７１０）。このダビング
追加不可能表示には、例えば「一括ダビング数が上限数です。追加を行いたい場合はダビ
ングリストから映像コンテンツの削除を先に行ってください」等のエラー回避のための手
順をさらに表示してもよい。また、「他の映像コンテンツのダビングリストからの削除を
行いますか？」、「Yes」、「No」のような表示を設け、「Yes」をユーザが選択するとき
、ダビングリストの項目削除のための画面を表示するとしてもよい。また、ダビングリス
ト３３への項目の追加を行った後に、削除する映像コンテンツの選択を行わせるように設
計してもよい。  
【００７６】
S７０７、S７０９、およびS７１０が終了すると処理フローはS７０５に戻る。  
【００７７】
S７０５においてダビングリスト３３の編集指示をユーザより受信しないとき（No）、ダ
ビング処理部３２はダビングリスト３３に登録されている全ての映像コンテンツのダビン
グ処理が終了したか否かを判別する（S７１１）。S７１１においてダビング処理部３２が
全てのダビングが終了していないと判別するとき（No）、処理フローはS７０５に戻る。S
７１１においてダビング処理部３２がダビングリスト３３中の全てのダビングが終了した
と判別するときは（Yes）、一連の処理フローは終了となる。  
【００７８】
本実施形態においてダビング処理は、ある記憶媒体から他の記憶媒体へ映像コンテンツを
コピーする（ダビング元の記憶媒体の映像コンテンツはダビング完了時に削除されない）
処理を例示して説明しているが、これに限定されず、ダビング処理とはある記憶媒体から
他の記憶媒体へ映像コンテンツを移し変えるような（ダビング元の記憶媒体の映像コンテ
ンツがダビング完了時に削除される）処理であってもよい。  
【００７９】
本実施形態におけるデジタルテレビ１においては一括ダビング処理の実行中にダビングを
行うリストであるダビングリストの編集を行うことで、処理中の一括ダビングの処理対象
の変更を行なうことが可能となる。  
【００８０】
なお、本発明は上記実施形態そのままに限定されるものではなく、実施段階ではその要旨
を逸脱しない範囲で構成要素を変形して具現化できる。また、上記実施形態に開示されて
いる複数の構成要素の適宜な組み合わせにより、種々の発明を形成できる。例えば、実施
形態に示される全構成要素から幾つかの構成要素を削除してもよい。さらに異なる実施形
態にわたる構成要素を適宜組み合わせてもよい。 
【符号の説明】
【００８１】
１…デジタルテレビ、２…HDDレコーダ、３…DVDレコーダ、１０…本体、１１０…スピー
カ、１２０…表示部、１００…信号処理部、１１６…操作部、１１７…リモートコントロ
ーラ、１１８…受光部、１１９Ａ…第１のメモリーカード、１１９Ｂ…第２のメモリーカ
ード、１２１…表示画面、１３１…第１のLAN端子、１３２…第２のLAN端子、１３３…US
B端子、１３５…外部出力端子、１３６…外部出力端子、１３７…ライン入力端子、１４
３…アンテナ、１４４…入力端子、１４５…チューナ、１４６…PSK復調器、１４７…TS
復号器、１４８…アンテナ、１４９…入力端子、１５０…チューナ、１５１…OFDM復調器
、１５２…グラフィック処理部、１５３…音声処理部、１５４…信号生成部、１５５…映
像処理部、１５６…制御部、１５７…ROM、１５８…RAM、１５９…不揮発性メモリ、１６
０…カードI/F、１６１…カードホルダ、１６２…カードI/F、１６３…カードホルダ、１
６４、１６５…通信I/F、１６６…USBI/F、１６８…アナログチューナ、１６９…アナロ
グ復調器、１７０…HDD、３１…ダビングリスト編集部、３２…ダイビング処理部、３３
…ダビングリスト、４１…表示映像、４２…ダビング情報表示、４３…ダビング元表示、
４４…ダビング先表示、４５…ダビング数、４６…経過情報バー、４７…経過情報表示、
６１…ダビング追加不可能表示 
【図１】
2011060390.tif 000003
【図２】
2011060390.tif 000004
【図３】
2011060390.tif 000005
【図４】
2011060390.tif 000006
【図５】
2011060390.tif 000007
【図６】
2011060390.tif 000008
【図７】
2011060390.tif 000009